(57)【特許請求の範囲】
【請求項１】
天井下地に支持される天井と壁面の対向部に設けられる見切り縁において、前記天井下地に取付けられる上部見切り部材と、その上部見切り部材の下方に設けられる下部見切り部材とからなり、前記上部見切り部材が、壁面に衝合される壁面水切り板と、その壁面水切り板の下縁に連設されて天井下地を形成する平行配置の複数の野縁の端部下面および平行配置の両側の野縁の下面それぞれにねじ止めされる天面水切り板と、その天面水切り板の下面に設けられた外向きのＬ形の連結板とを備え、前記下部見切り部材が、前記連結板の内側面に衝合される側面水切り板と、その側面水切り板の下縁に連設されて前記天面水切り板と上下で対向する底面水切り板と、その底面水切り板の内側縁に連設されて天井の下面外周部を支持する支持板と、前記側面水切り板の壁面と対向する外側面に連設されて前記連結板の下面に衝合されるフランジとを備え、前記フランジを連結板の水平板部の下面にねじ止めしたことを特徴とする見切り縁。
【発明の詳細な説明】
【技術分野】
【０００１】
この発明は、天井の壁面と接する部分に設けられる見切り縁に関するものである。
【背景技術】
【０００２】
天井スラブから垂れ下がる多数の吊りボルトにより天井下地を支持し、その天井下地に天井パネルを取付けて天井を形成することは従来から普通に行なわれている。
【０００３】
上記のような天井構造においては、天井の壁面と接する部分に見切り縁を取付けて天井と壁面間に形成される隙間を隠蔽することが行なわれている。
【０００４】
ところで、従来から知られている見切り縁においては、壁面に固定する取付けであるため、その見切り縁を天井下地に支持される天井の高さに応じて取付ける必要があり、取付けに非常に手間がかかるという不都合があった。
【０００５】
また、見切り縁は天井の下面外周部を支持する構成であるため、天井の下面外周部が押し上げられると上方に移動し、天井の外周部の安定性が悪いという不都合があった。
【０００６】
そのような不都合を解消するため、特許文献１に記載された見切り縁においては、天井下地を形成する野縁の下面に固定バーを衝合し、かつ、固定バーの外側面を壁面に沿わせて野縁にねじ込まれるタッピングねじの締付けにより固定バーを固定し、その固定バーの下面側に連結具を介して支持バーを取付け、その支持バーの内側部に形成された支持片で天井の下面外周部を支持し、上記固定バーの下面内側部に設けられた押え片で天井の上面外周部を押えて天井の外周部の安定化を図るようにしている。
【０００７】
また、天井を一方向に向けて緩やかに傾斜させ、天井スラブから天井の上面に滴下する漏水を天井の傾斜に沿って流動させ、上記支持バーの上面側に形成された樋部にその漏水を集水して、天井の上面に漏水が溜まり、天井を形成する天井パネルの接続部から漏水が滴下するのを防止するようにしている。
【０００８】
【特許文献１】特開２００６−１６８４８号公報
【発明の開示】
【発明が解決しようとする課題】
【０００９】
ところで、上記従来の見切り縁においては、その見切り縁をねじ止めする野縁が固定バーを衝合するウェブの両側に一対の側板を形成し、その側板の上側から内向きにフランジを設け、そのフランジの側縁から下向きに折曲片を形成した断面Ｍ形の形状であるため、天井スラブからその野縁内に漏水が滴下すると、その漏水は野縁の長さ方向に流れて壁面に至り、その壁面を伝って見切り縁との接触部から下方に流れ落ちることになり、漏水対策が充分でなく、改良すべき点が残されていた。
【００１０】
また、野縁にねじ止めされる固定バーは、薄肉厚であって長さも長いため、剛性が低く、野縁の下面に沿わせてねじ止めする際に撓みや変形が生じて取付けに手間がかかり、施工性を高める上においても改善すべき点が残されていた。
【００１１】
この発明の課題は、漏水対策に優れた施工性の良好な見切り縁を提供することである。
【課題を解決するための手段】
【００１２】
上記の課題を解決するために、この発明においては、天井下地に支持される天井と壁面の対向部に設けられる見切り縁において、前記天井下地に取付けられる上部見切り部材と、その上部見切り部材の下方に設けられる下部見切り部材とからなり、前記上部見切り部材が、壁面に衝合される壁面水切り板と、その壁面水切り板の下縁に連設されて天井下地を形成する平行配置の複数の野縁の端部下面および平行配置の両側の野縁の下面それぞれにねじ止めされる天面水切り板と、その天面水切り板の下面に設けられた外向きのＬ形の連結板とを備え、前記下部見切り部材が、前記連結板の内側面に衝合される側面水切り板と、その側面水切り板の下縁に連設されて前記天面水切り板と上下で対向する底面水切り板と、その底面水切り板の内側縁に連設されて天井の下面外周部を支持する支持板と、前記側面水切り板の壁面と対向する外側面に連設されて前記連結板の下面に衝合されるフランジとを備え、前記フランジを連結板の水平板部の下面にねじ止めした構成を採用したのである。
【００１３】
上記の構成からなる見切り縁においては、天井下地に支持された天井の外周各辺と壁面間に取り付ける。ここで、天井下地の複数の野縁の端面が対向する壁面と天井の対向面間に取付ける見切り縁においては、野縁の端部下面に上部見切り部材の天面水切り板を衝合し、その上部見切り部材の壁面水切り板を上記野縁の端面と対向する壁面に沿わせた状態で天面水切り板の下方から野縁にねじ込まれるねじの締付けで上部見切り部材を固定し、その上部見切り部材の固定後に野縁の下面に天井を取付ける。その天井の固定後、下部見切り部材の支持板を天井の下面外周部に衝合してフランジを上部見切り部材の連結板の下面に対向し、その連結板にねじ込まれるねじの締付けでフランジを固定する。
【００１４】
上記のような見切り縁の取付けにより、上部見切り部材に設けられた壁面水切り板は野縁の端面に対向する配置とされるため、天井スラブから野縁内に滴下した漏水が野縁の長さ方向に流れてきた場合に、その漏水は壁面水切り板で堰き止められることになり、上記漏水が壁面に伝って流れ落ちるのが防止される。
【発明の効果】
【００１５】
この発明においては、上記のように、天井下地の複数の野縁の端部下面に上部見切り部材を取り付けることにより、その上部見切り部材に設けられた壁面水切り板が上記野縁の端面と対向するため、野縁内に滴下して野縁の長さ方向に流れる漏水を上記壁面水切り板で堰き止めることができ、上記漏水が壁面に伝って流れ落ちるのを防止することができる。
【００１６】
また、上部見切り部材は、壁面水切り板の下縁に天面水切り板を連設し、その天面水切り板の下面にＬ形の連結板を設けた構成であるため、剛性は極めて高く、野縁の下面に重ねてねじ止めする際に撓んだり、変形したりすることもない。このため、容易に取付けることができ、施工性の向上を図ることができる。
【発明を実施するための最良の形態】
【００１７】
以下、この発明の実施の形態を図面に基づいて説明する。図１乃至図３は、この発明に係る見切り縁を採用した地下室や地下街等の地下空間における天井構造を示している。
【００１８】
図示のように、天井スラブ１には複数の吊りボルト２の上部が固定され、各吊りボルト２の下端部に取付けられたハンガー３によって天井下地１０が支持されている。
【００１９】
天井下地１０は、上記ハンガー３によって支持された複数の平行に配置された野縁受け１１と、その野縁受け１１に対して直交する方向に延びる断面Ｍ形の野縁１２と、その野縁１２と野縁受け１１の交差部を連結するクリップ１３とからなり、その天井下地１０によって天井２０が支持されている。
【００２０】
天井２０は複数の天井パネル２１からなる。図３に示すように、天井パネル２１は、細長い帯板状のパネル本体２１ａの両側に一対のフランジ２１ｂを上向きに設け、一方のフランジ２１ｂの上縁部に内向きの折曲片２１ｃを設けると共に、その折曲片２１ｃの側縁に外向きの取付片２１ｄを形成して、内向き折曲片２１ｃとの間に接続溝２１ｅを設け、他方のフランジ２１ｂの上縁に上記接続溝２１ｅに挿入可能な挿入片２１ｆを設けた樋状の構成とされている。
【００２１】
上記複数の天井パネル２１は野縁１２と直交する配置とされて、挿入片２１ｆが隣接する天井パネル２１の接続溝２１ｅに挿入され、外向き取付片２１ｄの下面から野縁１２にねじ込まれる図３に示すタッピングねじ２２の締付けによって上記外向き取付片２１ｄが野縁１２に固定されている。
【００２２】
また、複数の天井パネル２１は、長さ方向の一端から他端に向けて緩やかな勾配をもつ傾斜状の取付けとされている。
【００２３】
なお、天井２０を形成する複数の天井パネル２１のうち、両側の天井パネル２１には、フランジ２１ｂの一方が除去された天井パネル２１が採用されている。
【００２４】
天井２０の壁面Ｗと接する部分の外周の４辺には見切り縁３０が設けられている。図４および図５に示すように、見切り縁３０は、上部見切り部材３１と、その上部見切り部材３１の下方に設けられる下部見切り部材３２とからなる。
【００２５】
上部見切り部材３１は、壁面Ｗに衝合される壁面水切り板３３の下縁に天面水切り板３４を連設し、その天面水切り板３４の下面に外側方に向くＬ形の連結板３５を連設した構成とされ、上記天面水切り板３４の下面には、その天面水切り板３４の幅方向で対向して、天面水切り板３４の長さ方向に延びる一対の縦リブ３６と、その一対の縦リブ３６から天面水切り板３４の側縁がわに片寄った位置に上記縦リブ３６に平行する突条３７とが形成されている。一対の縦リブ３６の下端部には外向きに係合突条３６ａが設けられている。
【００２６】
図３に示すように、複数の野縁１２と直交するようにして天井２０と壁面Ｗ間に設けられる上部見切り部材３１は、天面水切り板３４が複数の野縁１２の端部下面に衝合する組付けとされ、その天面水切り板３４の下方から野縁１２にねじ込まれるタッピングねじ３８の締付けによって野縁１２に固定される。この一対の上部見切り部材３１は一方向に緩やかに傾斜する取付けとされる。
【００２７】
また、天井下地１０の両側の野縁１２と平行するようにして天井２０と壁面Ｗ間に設けられる上部見切り部材３１は、図２に示すように、天面水切り板３４が野縁１２の下面に衝合する組付けとされ、その天面水切り板３４の下方から野縁１２にねじ込まれるタッピングねじ３８の締付けによって野縁１２に固定される。
【００２８】
図４および図５に示すように、下部見切り部材３２は、上記連結板３５の内側面に衝合される側面水切り板３９の下縁に底面水切り板４０を連設し、その底面水切り板４０の内側縁に天井２０の下面外周部を支持する支持板４１を連設し、上記側面水切り板３９の外側面にフランジ４２を設けた構成とされている。
【００２９】
下部見切り部材３２のフランジ４２は、側面水切り板３９を上部見切り部材３１の連結板３５の内側面に衝合した状態で上記連結板３５の水平板部３５ａと上下で対向し、その水平板部３５ａにねじ込まれるタッピングねじ４３の締付けによって水平板部３５ａに固定される。
【００３０】
また、下部見切り部材３２の底面水切り板４０は、水平板部３５ａに対するフランジ４２の連結状態で上部見切り部材３１の天面水切り板３４と上下で対向して、その対向面間に一方向に緩やかに傾斜する集水用樋部４４を形成するようになっている。
【００３１】
支持板４１は、シール溝４５を上面に有し、そのシール溝４５内にシール部材４６が組込まれている。シール部材４６は支持板４１が天井２０の下面を支持する状態で天井２０の下面に密着して水密を保持し、その保持状態で底面水切り板４０の上面と天井パネル２１の上面が略同一高さとされている。
【００３２】
ここで、上部見切り部材３１および下部見切り部材３２は、アルミ二ウムの押出し成形品からなるものであってもよく、あるいは、樹脂の押出し成形品からなるものであってもよい。
【００３３】
上部見切り部材３１および下部見切り部材３２が押出し成形品からなる場合、これらの上部見切り部材３１および下部見切り部材３２は一定の長さとされるため、継ぎ足して使用しなくてはならない場合が生じる。この場合、上部見切り部材３１の端面同士および下部見切り部材３２の端面同士を互に突き合わせ、その突き合わせ端部をジョイント具５０を介して互に連結する。
【００３４】
図５はジョイント具５０の一例を示す。このジョイント具５０は、下部見切り部材３２の底面水切り板４０の上面に衝合される底面パネル５１の両側に一対の側面パネル５２を設け、各側面パネル５２の上部に係合片５３を設けた構成とされ、上部見切り部材３１における縦リブ３６の係合突条３６ａに対する係合片５３の係合によって、上部見切り部材３１および下部見切り部材３２を継ぎ足し状態に保持するようになっている。
【００３５】
実施の形態で示す天井構造は上記の構造から成り、その組立てに際しては、上部見切り部材３１の天面水切り板３４を平行に配置された複数の野縁１２の端部下面および天井下地１０の両側の野縁１２の下面に衝合し、かつ、壁面水切り板３３を壁面Ｗに沿わせた状態において、天面水切り板３４をその下方から野縁１２にねじ込まれるタッピングねじ３８の締付けで野縁１２に固定する。
【００３６】
ここで、上部見切り部材３１は、壁面水切り板３３の下縁に天面水切り板３４を連設し、その天面水切り板３４の下面にＬ形の連結板３５を設けた構成であるため、剛性は極めて高く、野縁１２の下面に重ねてねじ止めする際に撓んだり、変形したりすることもない。このため、容易に取付けることができる。
【００３７】
上部見切り部材３１の固定後、野縁１２に対する天井パネル２１のねじ止めと、接続溝２１ｅに対する挿入片２１ｆの挿入による天井パネル２１の接続とを交互に行なって天井２０を形成し、その天井２０の形成後、下部見切り部材３２の支持板４１を天井２０の下面外周部に衝合してフランジ４２を上部見切り部材３１の連結板３５の下面に対向し、その連結板３５にねじ込まれるタッピングねじ４３の締付けでフランジ４２を固定することによって、組立てが完了する。
【００３８】
上記のような見切り縁の取付け状態において、複数の野縁１２と直交するようにして野縁１２の端部にねじ止めされた上部見切り部材３１の壁面水切り板３３は、図３に示すように、野縁１２の端面に対向する配置とされるため、天井スラブから野縁１２内に滴下した漏水が野縁１２の長さ方向に流れてきたとしても、その漏水は壁面水切り板３３で堰き止められることになり、壁面Ｗに伝って流れ落ちるようなことはない。
【００３９】
ここで、野縁１２の端部から流れ出る漏水は天面水切り板３４の内側縁から天井２０の天井パネル２１の上面に流れ落ち、その天井パネル２１の上面の傾斜に沿って流れて見切り縁３０の樋部４４に集水される。このため、上記樋部４４の底部に排水パイプを接続しておくことにより、その排水パイプから外部に排水することができる。
【図面の簡単な説明】
【００４０】
【図１】この発明に係る見切り縁を採用した天井構造の斜視図
【図２】図１の縦断正面図
【図３】図１の縦断側面図
【図４】図２の一部を拡大して示す断面図
【図５】この発明に係る見切り縁の分解斜視図
【符号の説明】
【００４１】
１０    天井下地
１２    野縁
２０    天井
３１    上部見切り部材
３２    下部見切り部材
３３    壁面水切り板
３４    天面水切り板
３５    連結板
３９    側面水切り板
４０    底面水切り板
４２    フランジ
【図１】
0004621262.tif 000002
【図２】
0004621262.tif 000003
【図３】
0004621262.tif 000004
【図４】
0004621262.tif 000005
【図５】
0004621262.tif 000006